(57)【要約】【課題】玄関土間側の側板本体とその下側の調整側板との連結作業がしやすく、かつ、作業中に両部材をしっかり仮止めできる玄関収納装置を提供する。【解決手段】玄関土間３側に、側板本体２０と、側板本体２０の下端に着脱自在に連結した調整側板３０とが配設されており、調整側板３０は、下端部を切断可能とされ、下端面３２から上方に向かうねじ挿着穴部３５を有し、その穴部に、ねじ挿着穴部３５の深さ寸法よりも短い寸法のねじ部３７ａを有した、玄関土間３に当接する高さ調整用足材３７が取り付けられるようになっており、側板本体２０の下端面２１および調整側板３０の上端面３１の一方に、頭部３４ａと首部３４ｂとよりなる突起３４が形成され、他方に、頭部３４ａが没入される装着穴２４ａと、その状態で首部３４ｂを側板本体２０の下端面２１に平行にスライドさせるスライド穴２４ｂとよりなる係合穴部２４が形成されている。【選択図】図１
2016220891.tif 000002
【特許請求の範囲】
【請求項１】
玄関床から玄関土間にかけて架け渡し設置される玄関収納装置において、
前記玄関土間側に、側板本体と、該側板本体の下端に着脱自在に連結した調整側板とが配設された構成とされており、
前記調整側板は、下端部を切断可能とされ、下端面から上方に向かうねじ挿着穴部を有し、該ねじ挿着穴部に、該ねじ挿着穴部の深さ寸法よりも短い寸法のねじ部を有した、前記玄関土間に当接する高さ調整用足材が取り付けられるようになっており、
前記側板本体の下端面および前記調整側板の上端面のいずれか一方に、頭部と首部とよりなる突起が形成され、他方に、前記頭部が没入される装着穴と、幅寸法が頭部径より小、かつ首部径よりも大とされ、前記頭部が没入された状態で前記首部を前記側板本体の下端面に平行にスライドさせるスライド穴とよりなる係合穴部が形成され、前記突起を前記係合穴部に係合させて前記側板本体と前記調整側板とを連結することを特徴とする玄関収納装置。
【請求項２】
請求項１において、
前記係合穴部は、前記装着穴が前方側に配され、前記スライド穴が後方側に配されている、玄関収納装置。
【発明の詳細な説明】
【技術分野】
【０００１】
本発明は、玄関床から玄関土間にかけて架け渡し設置される玄関収納装置に関する。
【背景技術】
【０００２】
この種の玄関収納装置の両側の側板としては、一般には、玄関床面と玄関土間面との異なる高さに合わせて異なる高さ側板が用いられる。この高さの差は施工現場によって異なるため、従来では、玄関土間用の側板を現場で切断して調整する方法が採られていた（たとえば、特許文献１参照）。
【０００３】
特許文献１に示したものは、玄関土間用の側板が上側の側板本体と下側の調整側板の２部材よりなる。調整側板の下端部は切断可能とされており、高さ調整できるようになっている。またさらに、調整側板の下端面には高さ調整用足材が取り付けられ、これによっても高さ調整ができるようになっている。
【先行技術文献】
【特許文献】
【０００４】
【特許文献１】実開平３−１１６１４２号公報
【発明の概要】
【発明が解決しようとする課題】
【０００５】
しかしながら、特許文献１における側板本体と調整側板との連結はダボとダボ穴とによるため、合体後のたとえば施工作業中などに両側板が分離するおそれがある。特に、側板本体を玄関土間の壁面等に固定してから、その下方に調整側板を取り付ける施工手順を採った場合には、調整側板が落下したり、ずり下がったりするおそれがあるため、その後の高さ調整用足材による高さ調整などの作業に影響を及ぼすおそれがある。また、両方の側板を連結一体化してから取付作業をする場合でも、作業中に分離するおそれがあり取り扱いがしにくい。
【０００６】
本発明は、このような事情を考慮して提案したもので、その目的は、玄関土間側の側板本体とその下側の調整側板との連結作業がしやすく、かつ、作業中に両部材をしっかり仮止めできる玄関収納装置を提供することにある。
【課題を解決するための手段】
【０００７】
上記目的を達成するために、本発明は、玄関床から玄関土間にかけて架け渡し設置される玄関収納装置において、玄関土間側に、側板本体と、側板本体の下端に着脱自在に連結した調整側板とが配設された構成とされており、調整側板は、下端部を切断可能とされ、下端面から上方に向かうねじ挿着穴部を有し、ねじ挿着穴部に、ねじ挿着穴部の深さ寸法よりも短い寸法のねじ部を有した、玄関土間に当接する高さ調整用足材が取り付けられるようになっており、側板本体の下端面および調整側板の上端面のいずれか一方に、頭部と首部とよりなる突起が形成され、他方に、頭部が没入される装着穴と、幅寸法が頭部径より小、かつ首部径よりも大とされ、頭部が没入された状態で首部を側板本体の下端面に平行にスライドさせるスライド穴とよりなる係合穴部が形成され、突起を係合穴部に係合させて側板本体と調整側板とを連結することを特徴とする。
【発明の効果】
【０００８】
本発明によれば、玄関土間側の側板本体とその下方の調整側板との連結作業がしやすく、かつ、作業中に両部材をしっかり仮止めすることができる。
【図面の簡単な説明】
【０００９】
【図１】本発明の一実施形態に係る玄関収納装置の設置状態の正面図および２箇所の要部拡大縦断面図である。
【図２】（ａ）は側板本体の図１におけるＡ方向から見た、一部を縦断面とした部分正面図、（ｂ）は調整側板の図１におけるＡ´方向から見た正面図である。
【図３】（ａ）は側板本体と調整側板の連結部を示した部分斜視図、（ｂ）は係合穴部の正面図、（ｃ）は（ａ）のＢ方向から見た突起の図である。
【図４】（ａ）〜（ｃ）は、調整側板の取付手順の一例を示す、図１におけるＡ、Ａ´方向から見た正面図である。
【発明を実施するための形態】
【００１０】
以下に、本発明の一実施形態に係る玄関収納装置について、添付図面を参照して説明する。まず、概略基本構成について説明する。
【００１１】
本玄関収納装置１０は、玄関床１から玄関土間３にかけて架け渡し設置される収納装置である。この玄関収納装置１０は、玄関土間１側に、側板本体２０と、側板本体２０の下端に着脱自在に連結した調整側板３０とが配設された構成となっている。
【００１２】
調整側板３０は、下端部を切断可能とされ、下端面３２から上方に向かうねじ挿着穴部３５を有している。このねじ挿着穴部３５に、ねじ挿着穴部３５の深さ寸法よりも短い寸法のねじ部３７ａを有した、玄関土間３面に当接する高さ調整用足材３７が取り付けられるようになっている。
【００１３】
側板本体２０の下端面２１および調整側板３０の上端面３１のいずれか一方に、頭部３４ａと首部３４ｂとよりなる突起３４が形成されている。また他方には、頭部３４ａが没入される装着穴２４ａと、頭部３４ａが没入された状態で首部３４ｂを側板本体２０の下端面２１に平行にスライドさせるスライド穴２４ｂとよりなる係合穴部２４が形成されている。ここで、スライド穴２４ｂは、幅寸法Ｌ２が頭部径Ｌ１より小、かつ首部径Ｌ３よりも大とされる。そして、突起３４を係合穴部２４に係合させて、側板本体２０と調整側板３０とを連結するようになっている。
【００１４】
ついで、本玄関収納装置１０の構成、特に玄関土間３側の側板１６の詳細構成について説明する。なお、図２（ａ）（ｂ）、図３（ａ）および図４（ａ）〜（ｃ）の各図は、図１（ａ）におけるＡ、Ａ´方向から見た図であり、図における左側が後方、右側が前方である。
【００１５】
図１に示すように、この玄関収納装置１０は、玄関床１および玄関土間３の高さの異なる２箇所で支持された収納装置である。ようするに、この玄関収納装置１０は、玄関床１側に側板（不図示）が配設され、玄関土間３側に床の高さ分高い側板１６が配設されている。なお、この玄関収納装置１０は、天板１１、収納扉１２、背板１３、棚板（不図示）などを含んで構成され、内部に収納空間１４、１４が形成されている。
【００１６】
上述したように、本玄関収納装置１０においては、玄関土間３側の側板１６が上下に分離されており、２枚の側板を上下に連結することで玄関土間３側の側板１６を構成している。上側の側板本体２０は天板１１に固定され、一方、下側の調整側板３０は玄関土間３上に立設されるものである。この調整側板３０の下端には、図１の左側の拡大部分縦断面図に示すように、高さ調整用足材３７が着脱自在に取り付けられている。
【００１７】
このように玄関土間３側の側板１６を分離構成としたのは、下側に配する調整側板３０で、種々の施工現場の状況に合わせて高さ調整するためであり、高さ調整作業をしやすくするためでもある。また、この側板１６が分離構成されているので、運搬などの取り扱いもしやすい。
【００１８】
本実施形態では、調整側板３０の下端部を切断することで、玄関土間３側の側板１６の高さ調整ができるようになっている。具体的には、調整側板３０は下端面３２から上方に向かうねじ挿着穴部３５を有している。そのねじ挿着穴部３５に、ねじ挿着穴部３５の深さ寸法よりも短い寸法のねじ部３７ａを有した、玄関土間３面に当接する高さ調整用足材３７が取り付けられるようになっている。
【００１９】
この高さ調整用足材３７は、足部３７ｂとねじ部３７ａとよりなる。調整側板３０を側板本体２０に適切に連結し、足部３７ｂの外面を玄関土間３面に当接させることで、連結された両部材が起立、固定された側板１６として作用する。
【００２０】
図２（ｂ）に示すように、ねじ挿着穴部３５、３５が形成されている調整側板３０の下端部は、２点鎖線で示した適宜な位置で切断することができる。ねじ挿着穴部３５、３５には高さ調整用足材３７、３７のねじ部３７ａ、３７ａが挿着されるので、切断された後のねじ挿着穴部３５、３５の深さが、ねじ部３７ａ、３７ａの全長よりも長くなるように切断する必要があることは言うまでもない。高さの最も高い玄関床１と最も低い玄関床１を想定し、それに相当する調整側板３０の高さ寸法と切断長とを想定し、それに見合った深さのねじ挿着穴部３５を設けれるようにすればよい。
【００２１】
調整側板３０のねじ挿着穴部３５、３５には、爪付きナット３８、３８が装着、固定され、その爪付きナット３８、３８（または鬼目ナット）の雌ねじ部（不図示）にねじ部３７ａ、３７ａを螺入することで高さ調整用足材３７、３７が取り付けられる。そして、ねじ部３７ａ、３７ａの螺進、螺退の操作により、調整側板３０の下端面３２から足部３７ｂ、３７ｂまでの離間距離を調整することができる。
【００２２】
ようするに、本玄関収納装置１０によれば、玄関土間３面からの天板１１の裏面までの高さに概ね合わせて調整側板３０を切断することで側板１６の大まかな高さ調整ができ、さらに高さ調整用足材３７、３７の操作により微調整ができる。また、高さ調整用足材３７、３７は玄関土間３面の不陸を調整することもできる。
【００２３】
つぎに、側板本体２０と調整側板３０の連結構造について説明する。
【００２４】
本玄関収納装置１０において、側板本体２０は概ね玄関床１面から天板１１の裏面までの高さ寸法とされ、調整側板３０は概ね玄関土間３面から玄関床１面までの高さ寸法とされる。なお、両側板はこのような寸法関係には限られない。２枚の側板は、図２（ａ）（ｂ）に示すように、一方に設けた突起３４、・・・を他方に設けた係合穴部２４、・・・に係合させることで連結できるようになっている。
【００２５】
係合穴部２４、・・・と突起３４、・・・は、一方が側板本体２０の下端面２１に設けてあり、他方が調整側板３０の上端面３１に設けてあればよい。本実施形態では、係合穴部２４、・・・は側板本体２０の下端面２１に設けられ、突起３４、・・・は調整側板３０の上端面３１に設けられている（図１の右側の拡大縦断面図および図２（ａ）（ｂ）参照）。
【００２６】
本実施形態のものでは、図２（ａ）（ｂ）に示すように、係合穴部２４、・・・と突起３４、・・・が４組設けられており、それぞれの側板の前方側、後方側にそれぞれ２組ずつ設けられている。
【００２７】
図２（ａ）に示すように、係合穴部２４、・・・は、側板本体２０の下端面２１に設けられ、その開口はダルマ孔形状となっている（図３（ａ）（ｂ）参照）。係合穴部２４、・・・は、突起３４、・・・を収容できるように、側板本体２０の下端部には、図２（ａ）に示すように空洞部２２、２２が形成されている。下端面２１に開口した空洞部２２、２２の開口を覆うように穴部用プレート２３、２３が取り付けられている。その穴部用プレート２３、２３には、それぞれに２つのダルマ孔が開設され、それぞれのダルマ孔と上方（奥方）の空洞部２２、２２内の空間とにより係合穴部２４、２４を構成している。
【００２８】
図３（ｂ）に示すように、係合穴部２４は、前方部が円形の装着穴２４ａよりなり、後方部が方形のスライド穴２４ｂよりなり、両穴は連通している。装着穴２４ａの径Ｌ１はスライド穴２４ｂの幅寸法Ｌ２よりも大きい。
【００２９】
一方、図２（ｂ）に示すように、突起３４、・・・は、調整側板３０の上端面３１に突起用プレート３３、３３を取り付けたことで形成されている。図３（ｃ）に示すように、突起３４は頭部３４ａと首部３４ｂとよりなる。突起用プレート３３の幅方向に対応した、頭部３４ａの幅寸法Ｌ３（径）は首部３４ｂの幅寸法Ｌ４（径）よりも大きい。
【００３０】
図２（ａ）（ｂ）および図３（ａ）に示すように、穴部用プレート２３、２３、突起用プレート３３、３３はそれぞれ前後２枚ずつ取り付けられている。そして、４つの係合穴部２４、・・・の相互の離間寸法と、４つの突起３４、・・・の相互の離間寸法とは一致している。つまり、係合穴部２４、・・・の装着穴２４ａ、２４ａと突起３４、・・・とを上下で位置合わせをして近接させていけば、４つの突起３４、・・・が対応した装着穴２４ａ、２４ａに装着される。なお、図３（ａ）には前方側の２組について図示したが、後方側の２組についても同寸法、同形状のプレートが取り付けられている。
【００３１】
側板本体２０と調整側板３０の連結、つまり係合穴部２４、・・・への突起３４、・・・の装着はつぎのような手順にてなされる。以下、図３（ａ）〜（ｃ）をもとに説明する。
【００３２】
まず、側板本体２０と調整側板３０とを、係合穴部２４、２４の装着穴２４ａ、２４ａと突起３４、３４とが上下で位置が合うように配し、両部材を近づけていく。突起３４、３４の頭部３４ａ、３４ａの全体が装着孔２４ａの奥方の空洞部２２（図３（ａ）参照）に収容されるまで挿入する。そして、突起３４、３４の首部３４ｂ、３４ｂをスライド穴２４ｂ、２４ｂの幅方向の開口縁で挟むようにして、終端まで側板本体２０の下端面２１に平行にスライドさせる。その終端位置で、上下の両部材が位置関係が一致した状態となり、側板本体２０と調整側板３０とが正しく連結される。
【００３３】
このように、挿入、スライド操作にて両部材を連結するために、係合穴部２４、２４および突起３４、３４のそれぞれを構成する各部の相互間の寸法関係はつぎのようになっている。
【００３４】
すなわち、図３（ｂ）（ｃ）に示すように、係合穴部２４の装着穴２４ａの径Ｌ１は突起３４の頭部３４ａの径Ｌ３よりも大きく、また係合穴部２４のスライド穴２４ｂの幅寸法Ｌ２は突起３４の頭部３４ａの径Ｌ３よりは小さく、かつ突起３４の首部３４ｂの幅寸法Ｌ４よりは大きい。また、首部３４ｂの縦寸法Ｌ５は穴部用プレート２３の厚みとほぼ同じか、あるいはそれよりも大きい。このような寸法関係により、上記の装着操作を行うことができる。
【００３５】
また、突起３４がスライド穴２４ｂの終端まで移動したときに、装着穴２４ａの方向に逆戻りしにくくするために、スライド穴２４ｂの終端におけるプレート厚を首部３４ｂの縦寸法Ｌ５とほぼ同寸法の厚みにし、圧着状態となるようにすることが望ましい。もちろん、スライド穴２４ｂの全長にわたり圧着状態でスライドできるようにしてもよい。
【００３６】
調整側板３０の側板本体２０への連結と、それらの側板の玄関土間３面への設置は、たとえば図４（ａ）〜（ｃ）に示す手順で行えばよい。
【００３７】
まず、側板本体２０を、たとえばすでに固定状態にある天板１１に固定して所定の適正位置に配しておく。側板本体２０と玄関土間３面との間に、切断により高さ調整済みの調整側板３０を前方より玄関土間３面に平行に（水平方向に）挿入する。このとき、調整側板３０の側板本体２０の下方への挿入をしやすくするために、高さ調整用足材３７、３７を足部３７ｂ、３７ｂの上面が側板本体２０の下端面２１に接触するまでねじ込んでおく。そして、上述した連結手順により、つまり調整側板３０を後方へ水平なスライド操作にて、側板本体２０に仮固定する（以上、図４（ａ）（ｂ）参照）。
【００３８】
この状態では、調整側板３０は側板本体２０にぶら下がった状態となっている。そして、高さ調整用足材３７を回転操作して、足部３７ｂを、その外面が玄関土間３面に当接し突っ張った状態となるまで下方に伸ばす（以上、図４（ｂ）（ｃ）参照）。こうして、玄関土間３側の側板１６が正しく配設される。
【００３９】
このように、玄関土間３側の側板１６を簡易に配設することができる。また、係合穴部２４（図３参照）の装着穴２４ａ（図３参照）が側板本体２０の前方側に設けてあるため、前調整側板３０は前方から取り付けることができる。また、作業の中途の図４（ｂ）の段階でも調整側板３０が落下するおそれがなく、手を放すことができ、手放しの仮止め状態で高さ調整用足材３７による高さ調整をすることができる。
【００４０】
また、このように調整側板３０を前方から取り付けできるので、調整側板３０の取り付け操作で奥方の壁面５を傷つけるおそれはない。
【００４１】
なお、玄関土間３側の側板１６は、このような手順で設置しなくてもよく、たとえば側板本体２０と調整側板３０とを連結、一体化しておき、その一体化された側板１６を所定の位置に取り付けるようにしてもよい。両部材を一体化したものでも、係合穴部２４と突起３４が係合により分離しにい構造となっているため、両部材をダボ結合するものに比べ、取り扱いはしやすい。
【００４２】
また、係合穴部２４、・・・と突起３４、・・・の形成位置は、図２（ａ）（ｂ）に示した例には限られず、係合穴部２４、・・・を調整側板３０の上端面３１に設け、突起３４、・・・を側板本体２０の下端面２１に設けた構成であってもよい。
【００４３】
また、上記の実施形態における係合穴部２４は、装着穴２４ａが前方側に配され、スライド穴２４ｂが後方側に配されているが、装着穴２４ａが後方側に配され、スライド穴２４ｂが前方側に配されたものであってもよい。また、装着穴２４ａとスライド穴２４ｂを側板１６の厚み方向に並べたものであってもよい。つまりその場合は、見付け方向（図１に示したＡ´方向またはその反対方向）からのスライド操作で、調整側板３０を取り付けることができる。
【符号の説明】
【００４４】
１            玄関床
３            玄関土間
１０          玄関収納装置
１６          （玄関土間側の）側板
２０          側板本体
２１          下端面
２４          係合穴部
２４ａ        装着穴
２４ｂ        スライド穴
３０          調整側板
３１          上端面
３２          下端面
３４          突起
３４ａ        頭部
３４ｂ        首部
３５          ねじ挿着穴部
３７          高さ調整用足材
３７ａ        ねじ部
【図１】
2016220891.tif 000003
【図２】
2016220891.tif 000004
【図３】
2016220891.tif 000005
【図４】
2016220891.tif 000006